(57)【要約】    【課題】  倍速再生処理時の負荷の軽減化を図りつつ動画像データを圧縮し得る画像処理装置、及び制御方法を提供する。    【解決手段】  倍速再生における倍速度の指定の下にフレーム間予測符号化による圧縮処理を行なう場合に、倍速再生する際に再生の対象となるフレーム画像だけを、動きを予測するための参照画像として用いることにより、圧縮された動画像データを倍速再生する際に、実際には再生されないフレーム画像を参照画像として無駄に伸張しなくても済むようにする。【選択図】      図５
2007049651.tif 000002
【特許請求の範囲】
【請求項１】
動画像データを圧縮する圧縮手段を有する画像処理装置において、
倍速再生における倍速度を指定する指定手段と、
前記指定手段により指定された倍速度で倍速再生する際に再生の対象となるフレーム画像を参照画像の候補として選択する選択手段とを有し、
前記圧縮手段は、前記選択手段により選択された参照画像の候補の中の参照画像を用いてフレーム間予測符号化による圧縮処理を行なうことを特徴とする画像処理装置。
【請求項２】
前記指定手段は、２倍速再生、４倍速再生等の複数の倍速度を同時に指定し得ることを特徴とする請求項１に記載の画像処理装置。
【請求項３】
前記選択手段は、前記指定手段により複数の倍速度が同時に指定された場合、指定に係る倍速度のうち最大の倍速度で倍速再生する際に再生の対象となるフレーム画像を参照画像の候補として選択することを特徴とする請求項２に記載の画像処理装置。
【請求項４】
前記圧縮手段は、前記選択手段により選択された参照画像の候補の中の最も圧縮率の高い参照画像を用いてフレーム間予測符号化による圧縮処理を行なうことを特徴とする請求項１〜３の何れかに記載の画像処理装置。
【請求項５】
前記選択手段は、順方向のフレーム画像から動きを予測するための参照画像の候補を選択することを特徴とする請求項１〜４の何れかに記載の画像処理装置。
【請求項６】
前記選択手段は、逆方向のフレーム画像から動きを予測するための参照画像の候補を選択することを特徴とする請求項１〜４の何れかに記載の画像処理装置。
【請求項７】
前記選択手段は、順方向及び逆方向の両方向のフレーム画像から動きを予測するための参照画像の候補を選択することを特徴とする請求項１〜４の何れかに記載の画像処理装置。
【請求項８】
前記圧縮手段により圧縮された動画像データに対して前記指定手段により指定された倍速度を示す情報を付加する付加手段を有することを特徴とする請求項１〜７の何れかに記載の画像処理装置。
【請求項９】
動画像データを圧縮する圧縮工程を有する画像処理装置の制御方法において、
倍速再生における倍速度を指定する指定工程と、
前記指定工程により指定された倍速度で倍速再生する際に再生の対象となるフレーム画像を参照画像の候補として選択する選択工程とを有し、
前記圧縮工程は、前記選択工程により選択された参照画像の候補の中の参照画像を用いてフレーム間予測符号化による圧縮処理を行なうことを特徴とする制御方法。
【発明の詳細な説明】
【技術分野】
【０００１】
本発明は、動画像データを記録・再生可能な電子カメラ、カメラ一体型ビデオレコーダ等の画像処理装置、及び制御方法に関し、特に、動画像データの圧縮技術に関する。
【背景技術】
【０００２】
従来、ＭＰＥＧ１，２等の動画像符号化データを記録・再生可能な電子カメラ、カメラ一体型ビデオレコーダ、ハードディスクレコーダ等の画像処理装置において、サーチ再生機能を備えたものが実現されている。
【０００３】
サーチ再生の方法としては、大別すると、全ての動画像符号化データを記録媒体から高速に読み出して復号器に供給して、表示フレームを適当な間隔で間引く方式と、ＧＯＰ（グループオブピクチャ）の先頭のＩピクチャのみを次々と再生する方式がある。また、これらの両方式を組み合わせる方式も提案されている（例えば特許文献１参照）。
【特許文献１】特開２００４−５６７３２号公報
【発明の開示】
【発明が解決しようとする課題】
【０００４】
しかしながら、ＭＰＥＧ１，２等の動画像符号化データを記録・再生可能な従来の画像処理装置は、フレーム間予測符号化により圧縮を行なう場合、サーチ再生を考慮せずに圧縮効率のみを考慮して、動きを予測するための参照画像を選択することにより、動画圧縮処理を行っていた。
【０００５】
例えば、図１０のようなＩピクチャ、ＰピクチャだけのＧＯＰ（Ｇｒｏｕｐ  Ｏｆ  Ｐｉｃｔｕｒｅｓ）として圧縮する場合は、一連のフレーム画像１〜１４に対して、直前のフレーム画像を参照画像として用いて圧縮を行なっている（参照関係１５〜２７参照）。すなわち、どのフレーム画像が倍速再生の対象となるフレーム画像であるかを一切考慮せずに、参照画像を選択している。
【０００６】
一方、再生処理時に用いる参照画像としては、圧縮処理時に用いた参照画像を選択する必要がある。従って、例えば、図１０の例では、２倍速再生時にはフレーム画像１，３，５，７，９，１１，１３，…を再生する必要があるが、これらフレーム画像を再生するためには、実際には再生はされないフレーム画像２，４，６，８，１０，１２，…も参照画像として伸長処理する必要が生じる。
【０００７】
このように、従来は、２倍速再生、３倍速再生、４倍速再生などの倍速再生対象のフレーム画像をデコードする場合は、実際には再生されない画像をも参照画像としてデコードする必要があり、結果的に、サーチ再生処理時の負荷が通常再生処理時の負荷より大きくなっていた。また、従来の方式では、２倍速再生、４倍速再生等の所望のサーチ速度を実現することが困難であった。
【０００８】
本発明は、このような背景の下になされたもので、倍速再生処理時の負荷の軽減化を図りつつ動画像データを圧縮し得る画像処理装置、及び制御方法を提供することを目的とする。
【課題を解決するための手段】
【０００９】
上記目的を達成するため、本発明は、動画像データを圧縮する圧縮手段を有する画像処理装置において、倍速再生における倍速度を指定する指定手段と、前記指定手段により指定された倍速度で倍速再生する際に再生の対象となるフレーム画像を参照画像の候補として選択する選択手段とを有し、前記圧縮手段は、前記選択手段により選択された参照画像の候補の中の参照画像を用いてフレーム間予測符号化による圧縮処理を行なうことを特徴とする。
【発明の効果】
【００１０】
本発明によれば、倍速再生における倍速度の指定の下に圧縮処理を行なう場合に、倍速再生する際に再生の対象となるフレーム画像だけを参照画像として用いてフレーム間予測符号化による圧縮処理を行なうことができるので、圧縮された動画像データを倍速再生する際に、実際には再生されないフレーム画像を参照画像として無駄に伸張しなくても済む。
【００１１】
従って、倍速再生処理時の負荷の軽減化を図りつつ動画像データを圧縮し得る画像処理装置、及び制御方法を提供することが可能となる。
【発明を実施するための最良の形態】
【００１２】
図１は、本発明の実施の形態に係る画像処理装置の概略構成を示すブロック図である。
【００１３】
図１に示すように、本画像処理装置は、ＣＰＵ５１、メモリ５２、表示部５３、操作部５４、通信部５５、撮像部５６、画像処理部５７、記憶媒体５８、及び圧縮処理部５９を備えている。
【００１４】
ＣＰＵ５１は、メモリ５２上のプログラムに基づいて撮影処理を行なう際に、表示部５３、操作部５４、通信部５５、撮像部５６、画像処理部５７、記憶媒体５８、圧縮処理部５９を適宜制御する。メモリ５２には、各種のプログラム、及びプログラム実行に必要なデータの他、後述する参照画像データ管理表６２、参照画像データ６３が格納されている。
【００１５】
表示部５３は、ＬＣＤ等により構成され、電子ビューファインダ（ＥＶＦ）画像の表示、撮影した画像の再生表示、各種撮影条件の設定メニューなどの操作メニューの表示等が行なわれる。操作部５４は、各種の撮影条件の設定や撮影動作を行うためのボタンスイッチ、十字キースイッチ、ダイヤルスイッチなどの操作部材を有している。この操作部５４は、後述する倍速再生対応パラメータ６１（図２参照）を指定・入力するためにも利用される。
【００１６】
通信部５５は、パーソナルコンピュータ、他の画像処理装置、プリンタ等の外部装置と本画像処理装置とを接続し、撮影した画像の送受信、撮影条件等の情報の送受信、外部装置の制御、外部装置による本画像処理装置の制御等を行うために利用される。
【００１７】
撮像部５６は、レンズ、絞り、シャッタ等を有する光学系機構、及びＣＣＤ等の撮像素子を用いて被写体の光学像を映像信号に変換して、画像処理部５７に送出する。画像処理部５７は、撮像部５６から出力された映像信号に対して所定の信号処理を施すことにより、オートフォーカス（ＡＦ）処理、オート露出（ＡＥ）処理、ホワイトバランス（ＷＢ）処理等を行なう。
【００１８】
画像処理部５７は、ＡＦ処理においては、撮像部５６から出力された画像データの或る矩形領域を測距枠として設定し、この測距枠内の画像情報に基づいてＡＦ処理を行う。また、画像処理部５７は、電子ズーム時には、画角の切出し位置を設定することによって任意の矩形領域を切出し、その切出した矩形画像をＥＶＦ表示レビュー表示、または撮影サイズ等に合わせて拡大縮小する。
【００１９】
圧縮処理部５９は、画像処理部５７により施された画像処理後の画像データを圧縮処理する。圧縮処理部５９は、動画像データの場合、フレーム内符号化とフレーム間予測符号化方式を併用して圧縮処理を行なう。このフレーム内符号化方式では、他のフレーム画像を参照することなく入力画像だけを用いて符号化（圧縮）が行なわれる。一方、フレーム間予測符号化方式では、参照画像を参照して入力画像（圧縮対象フレーム画像）の動き量（動きベクトル）を検索し、その検索した動きベクトルに基づいて入力画像の予測画像を生成し、この予測画像と入力画像との差分画像を符号化（圧縮）する。なお、圧縮処理部５９は、後述する参照画像候補決定部５９ａを有している（図２参照）。
【００２０】
記憶媒体５８は、圧縮処理部５９で圧縮された画像データや、撮影時の各種情報などをファイル形式で保存する。この記憶媒体５８としては、半導体メモリ、ハードディスク、光記憶媒体等を用いる。
【００２１】
図２は、上記の画像処理装置による画像処理の大まかな流れを示す図である。画像処理部５７は、撮像部５６から出力された映像画像（映像信号：動画像データ）６０に対して所定の処理を施して圧縮処理部５９に出力する。圧縮処理部５９は、参照画像決定部５９ａにより決定された参照画像候補を用いて、画像処理部５７から出力された動画像データに対して圧縮処理を行ない、動画像ファイルとして記憶媒体５８に格納する。
【００２２】
参照画像候補決定部５９ａは、ＣＰＵ５１により与えられた倍速再生対応パラメータ６１で指定された倍速度の倍速再生を行うための圧縮処理に用いる参照画像候補を決定する。この倍速再生対応パラメータ６１は、図３に示すように３１ビットで構成され、各ビットが特定の倍速再生、すなわち倍速度に対応しているか否かを示している。
【００２３】
具体的には、１ビット目は、２倍速再生に対応しているか否かを示し、１ビット目が「１」の場合は、２倍速再生に対応していることを示している。また、２ビット目は、３倍速再生に対応しているか否かを示し、２ビット目が「１」の場合は、３倍速再生に対応していることを示している。
【００２４】
このように、０〜３０ビット目は、それぞれ、２，３，４，５，…３２倍速再生に対応しているので、例えば、０ビット目と２ビット目が「１」である「５」の値の倍速再生対応パラメータ６１は、２倍速再生、４倍速再生を指定していることを意味する。
【００２５】
そこで、参照画像候補決定部５９ａは、「５」の値の倍速再生対応パラメータ６１が与えられた場合は、２倍速再生と４倍速再生を考慮して、フレーム間予測符号化方式で圧縮処理を行なう場合の参照画像候補を選択する。具体的には、後述するように、参照画像候補決定部５９ａは、２倍速再生と４倍速再生により共通に再生されるフレーム画像を参照画像候補として選択する。
【００２６】
参照画像候補決定部５９ａは、上記のようにして選択した参照画像候補に係る参照画像データのアドレスを参照画像データ管理表６２から検索し、そのアドレスを、選択した参照画像候補を示す情報として圧縮処理部５９に出力する。
【００２７】
この参照画像データ管理表６２は、図４に示したように、参照画像データの通し番号である「ＰＮ」と、当該参照画像データのフレーム番号である「ＦＮ」と、当該参照画像データのメモリ５２上の「アドレス」を対応付けて管理している。この「アドレス」は、対応する参照画像データの先頭アドレスを示すものである。
【００２８】
なお、参照画像データ管理表６２は、２倍速再生、３倍速再生、４倍速再生等の倍速再生における倍速度の情報と対応付けて、各参照画像データの「アドレス」等を管理するように構成することも可能である。
【００２９】
圧縮処理部５９は、参照画像候補決定部５９ａから出力されたアドレスに基づいて、メモリ５２上の参照画像データ６３を適宜読出し、その参照画像データ６３を用いて、画像処理部５７から入力された動画像データをフレーム間予測符号化方式で圧縮する。
【００３０】
次に、フレーム画像ごとの圧縮処理の概要を、図５のフローチャートに基づいて説明する。
【００３１】
圧縮処理部５９は、まず、圧縮対象フレームの圧縮タイプを決定する（ステップＳ１）。この圧縮タイプとしては、フレーム内符号化を行ってＩピクチャを生成するＩ圧縮タイプ、フレーム間予測符号化を行なってＰピクチャ又はＢピクチャを生成するＰ圧縮タイプ又はＢ圧縮タイプがある。Ｉ圧縮タイプでは、圧縮対象フレームの画像データだけを見て圧縮処理が行なわれる。Ｐ圧縮タイプでは、過去のフレームの画像データを参照して圧縮処理が行なわれる。また、Ｂ圧縮タイプでは、過去と未来の両方のフレームの画像データを参照して圧縮処理が行なわれる。
【００３２】
なお、ステップＳ１にて、圧縮タイプを決定する方法としては、予め決められたＧＯＰの構造、例えば、「ＩＢＢＢＰＢＢＢＰＢＢＢＰＢＢＢＩＢＢＢＰＢＢＢＰＢＢＢＰＢＢＢ…」、「ＩＰＰＰＰＰＰＰＰＰＩＰＰＰＰＰＰＰＰＰＰ…」に従って順次決定していく方法が考えられる。また、符号化による画像劣化の尺度であるＰＳＮＲ（Ｐｅａｋ  Ｓｉｇｎａｌ  ｔｏ  Ｎｏｉｓｅ  Ｒａｔｉｏ）等の情報に基づいて圧縮タイプを決定する方法も考えられる。
【００３３】
次に、圧縮処理部５９は、ステップＳ１にて決定した圧縮タイプが、Ｉ圧縮タイプ、Ｐ圧縮タイプ、Ｂ圧縮タイプの何れであるかを判別する（ステップＳ２）。その結果、Ｉ圧縮タイプに決定していた場合は、圧縮処理部５９は、現在圧縮対象となっている圧縮対象フレームの動画像データをフレーム内符号化方式により圧縮する（ステップＳ３）。
【００３４】
一方、ステップＳ１にてＰ圧縮タイプ、又はＢ圧縮タイプに決定していた場合は、圧縮処理部５９は、参照画像候補決定部５９ａにより、フレーム間予測符号化に使用する参照画像の候補を選択する（ステップＳ４）。この参照画像候補の選択処理における最大の特徴としては、２倍速再生、４倍速再生等の指定された倍速度で再生する際に再生対象となるフレームの動画像データだけを参照画像候補として選択する点が挙げられる。すなわち、参照画像候補決定部５９ａは、再生対象とはならないフレームの動画像データは、一切、参照画像候補として選択しないようにする。
【００３５】
なお、参照画像候補を選択する場合は、参照画像候補決定部５９ａは、前述のように、参照画像データ管理表６２を利用する。ステップＳ４における参照画像候補の選択処理の詳細は、後述する。
【００３６】
次に、圧縮処理部５９は、ステップＳ４にて選択した参照画像候補の中から、ステップＳ１にて決定した圧縮タイプ、及び圧縮符号量、若しくは符号量等に基づいて、フレーム間予測符号化に使用する１つの参照画像を決定する（ステップＳ５）。この場合、圧縮処理部５９は、ステップＳ１にて決定した圧縮タイプに係る参照画像候補のうち圧縮率が最大の参照画像を、フレーム間予測符号化に使用する参照画像として決定する。
【００３７】
次に、圧縮処理部５９は、現在圧縮対象となっている圧縮対象フレームの画像データを、決定した参照画像を用いて、ステップＳ１にて決定した圧縮タイプでフレーム間予測符号化を行なって圧縮する（ステップＳ６）。
【００３８】
圧縮処理部５９は、ステップＳ３又はＳ５での圧縮処理が完了すると、当該圧縮処理したフレーム画像が一連の動画像データにおける最後のフレーム画像であるか否かを判別する（ステップＳ７）。その結果、最後のフレーム画像でない場合は、ステップＳ１に戻ることにより、次のフレーム画像に対して前述の処理を行ない、最後のフレーム画像である場合は、本圧縮処理を終了する。
【００３９】
図６は、動画像における一連のフレーム画像１〜１４と、通常の等倍速再生、２倍速再生、４倍速再生時に再生されるフレーム画像との関係を示したものである。図６において、○印で示したように、等倍速再生時には全てのフレーム画像が再生され、２倍速再生時には１つおきにフレーム画像が再生され、４倍速再生時は３つおきにフレーム画像が再生される。
【００４０】
このような倍速再生が要求される場合に、本実施の形態では、次のようにして参照画像を決定してフレーム間予測符号化による圧縮処理を行なっている。
【００４１】
例えば、本実施の形態では、図７に示したようなＩピクチャ、ＰピクチャだけのＧＯＰとして圧縮する場合は、一連のフレーム画像１〜１４に対して、参照関係１５〜２７のような関係で参照画像候補を選択し、この参照画像候補の中から圧縮率等を考慮して参照画像を決定してフレーム間予測符号化による圧縮処理を行なっている。
【００４２】
すなわち、本実施の形態では、図７において、フレーム画像１，５，９，１３は、４倍速再生の対象となるフレーム画像であり、その参照関係は、参照関係１５，１６，１７のように、４倍速再生の対象となるフレーム画像だけが参照画像候補となるように規定している。
【００４３】
そして、例えば、前述の倍速再生対応パラメータ６１により４倍速再生が指定された場合にフレーム画像１３をＰピクチャとして圧縮する場合は、図５のステップＳ４では、参照画像候補決定部５９ａは、参照関係１５，１６，１７に係るフレーム画像１，５，９を参照画像候補として選択している。次に、図５のステップＳ５では、圧縮処理部５９は、その参照画像候補としてのフレーム画像１，５，９の中から圧縮率が最も大きいフレーム画像等を参照画像として決定している。
【００４４】
また、本実施の形態では、図７において、フレーム画像１，３，５，７，９，１１，１３は、２倍速再生の対象となるフレーム画像であり、その参照関係は、参照関係１５，１６，１７，１８，１９，２０のように、２倍速再生の対象となるフレーム画像だけが参照画像候補となるように規定している。
【００４５】
そして、例えば、前述の倍速再生対応パラメータ６１により２倍速再生が指定された場合にフレーム画像１３をＰピクチャとして圧縮する場合は、照画像候補決定部５９ａは、図５のステップＳ４では、参照関係１５，１６，１７，１８，１９，２０に係るフレーム画像１，３，５，５，７，９１１を参照画像候補として選択している。次に、圧縮処理部５９は、図５のステップＳ５では、その参照画像候補としてのフレーム画像１，３，５，５，７，９１１の中から圧縮率が最も大きいフレーム画像等を参照画像として決定している。
【００４６】
図７において、符号２１，２２，２３，２４，２５，２６，２７は、通常の等倍速再生時にだけ再生対象となり、２，４倍速再生時には再生対象とならないフレーム画像２，４，６，８，１０，１２，１４の参照関係を示したものである。このように、本実施の形態では、通常の等倍速再生時にだけ再生対象となるフレーム画像２，４，６，８，１０，１２，１４の参照画像としては、直前のフレーム画像に規定している。しかし、通常の等倍速再生時にだけ再生対象となるフレーム画像２，４，６，８，１０，１２，１４の参照画像としては、任意のフレーム画像を使用することも可能である。
【００４７】
なお、本実施の形態では、当然のことながら、フレーム間予測符号化による圧縮処理を行なう場合、常に、通常の等倍速再生を行なえるように圧縮処理を行なっている。また、本実施の形態では、図３を用いて先に説明したように、例えば、２倍速再生と４倍速再生に同時に対応する圧縮処理を指示するというように、倍速再生における複数の倍速度に同時に対応した圧縮処理を指示することができる。
【００４８】
このように、倍速再生における複数の倍速度に同時に対応した圧縮処理が指示された場合は、前述のように、これら複数の倍速度での再生時に共通に再生されるフレーム画像を、参照画像候補として選択する。
【００４９】
例えば、２倍速再生と４倍速再生に同時に対応した圧縮処理が指示された場合は、２倍速再生時と４倍速再生時に共通に再生されるフレーム画像は、フレーム画像１，５，９，１３である。なお、これらフレーム画像１，５，９，１３は、通常の等倍速再生においても再生されるフレーム画像であることは言うまでもない。従って、例えば、フレーム画像１３をＰピクチャとして圧縮する場合は、照画像候補決定部５９ａにより、フレーム画像１，５，９が参照画像候補として選択される。
【００５０】
以上の説明から推測できるように、倍速再生における複数の倍速度に同時に対応した圧縮処理が指示された場合は、それら複数の倍速度のうち、最大の倍速度で倍速再生する際に再生の対象となるフレーム画像が、参照画像候補として選択されることとなる。
【００５１】
図８（ａ），（ｂ），（ｃ）は、それぞれ、上記のような参照関係で参照画像候補を選択し、その参照画像候補の中から１つの参照画像を選択して圧縮処理を行なった場合の、通常の等速、２倍速、４倍速の倍速度で再生される画像と、それら再生時に参照される参照画像との関係を示したものである。
【００５２】
なお、図８（ａ），（ｂ），（ｃ）において、ハッチングを施したものは、再生対象の画像であることを示している。また、図８（ａ），（ｂ），（ｃ）において、参照関係等を示す符号は、便宜上、図９と同一の符号を用いている。
【００５３】
図８（ａ），（ｂ），（ｃ）中に実線で示した参照関係のように、通常の等速再生、２倍速再生、４倍速再生の何れにおいても、参照画像の全てが再生対象の画像となっている。従って、再生処理を行なうために、再生の対象とならないフレーム画像を参照画像として無駄に伸張処理しなくても済む。
【００５４】
これによって、従来と比較し、再生処理時の負荷を２倍速再生時には１／２に、４倍速再生時には１／４に低減することが可能となる。
【００５５】
図９に示したように、本実施の形態では、上記のようにして圧縮処理した一連の圧縮動画像データ群９１に対して、倍速再生を考慮して圧縮した動画像データであるか否かを示す１ビットの倍速対応フラグ９２と、前述の倍速再生対応パラメータ６１とを付加して記憶媒体５８に保存している。
【００５６】
これにより、図示省略した再生処理部にて再生処理を行なう場合に、容易に参照画像候補を選択したり、参照画像を決定したりすることが可能となる。
【００５７】
なお、本発明は、上記の実施の形態に限定されることはない。例えば、前述のように、順方向の予測を行なうべく過去のフレーム画像を参照してフレーム間予測符号化を行なう場合だけでなく、逆方向の予測を行なうべく未来のフレーム画像を参照してフレーム間予測符号化を行なう場合にも、前述の圧縮処理を適用することが可能である。さらに、順方向と逆方向の双方向のフレーム画像を参照してフレーム間予測符号化を行なう場合にも、前述の圧縮処理を適用することが可能である。
【００５８】
また、上記の実施の形態では、フレーム単位で圧縮処理を行なっていたが、フレーム画像（ピクチャ）の一部を示すスライスして圧縮処理を行う場合にも、前述の圧縮処理を適用することが可能である。
【図面の簡単な説明】
【００５９】
【図１】本発明の実施の形態に係る画像処理装置の概略構成を示すブロック図である。
【図２】上記の画像処理装置による画像処理の大まかな流れを示す図である。
【図３】上記の画像処理装置にて圧縮処理時に利用される倍速再生対応パラメータの構成を示す概念図である。
【図４】上記の画像処理装置にて利用される参照画像データ管理表の構成を示す概念図である。
【図５】上記の画像処理装置にてフレーム画像ごとに圧縮処理を行なう場合の概要を示すフローチャートである。
【図６】通常の等速再生、２倍速再生、４倍速再生で再生されるフレーム画像を示す概念図である。
【図７】上記の画像処理装置による圧縮処理時の動き予測のための参照関係例を示す概念図である。
【図８】上記の画像処理装置にて圧縮処理を行なった場合の、通常の等速再生、２倍速再生、４倍速再生にて再生される画像と、それら再生時に参照される参照画像との関係を示す概念図である。
【図９】上記の画像処理装置にて圧縮処理された動画データ群の保存形式を示す概念図である。
【図１０】従来の圧縮処理の問題点を説明するための概念図である。
【符号の説明】
【００６０】
５１…ＣＰＵ
５２…メモリ
５４…操作部
５８…記憶媒体
５９…圧縮処理部
５９ａ…参照画像候補決定部
６１…倍速再生対応パラメータ
６２…参照画像データ管理表
６３…参照画像データ
【図１】
2007049651.tif 000003
【図２】
2007049651.tif 000004
【図３】
2007049651.tif 000005
【図４】
2007049651.tif 000006
【図５】
2007049651.tif 000007
【図６】
2007049651.tif 000008
【図７】
2007049651.tif 000009
【図８】
2007049651.tif 000010
【図９】
2007049651.tif 000011
【図１０】
2007049651.tif 000012